(57)【特許請求の範囲】
【請求項１】
電子ショッピングモールを構成するサーバ装置と、回線網を介して前記サーバ装置に接続され、前記電子ショッピングモール内の任意の店舗の商品を購入するためのクライアント装置と、回線網上で前記電子ショッピングモールの広告を掲載する広告掲載手段と、
から構成される電子ショッピングモールシステムであって、
前記サーバ装置は、
前記電子ショッピングモール内の所定の店舗で商品を購入した顧客について、該顧客が、前記広告掲載手段に掲載された広告によって該店舗に誘導された顧客であるか否かを判別する判別手段と、
前記判別手段が、前記広告によって誘導された顧客であると判別した場合に、商品を購入した顧客と該広告を掲載した加盟者とに、所定のポイントを付与し、付与したポイントを該顧客及び加盟者に対応付けて記憶するポイント処理手段と、を備え、
前記店舗に誘導された顧客の数と当該店舗に誘導された顧客が商品を購入して成約した成約数との比からなる成約率に従って広告を切り換え、顧客が商品を購入したことにより成約した１成約につきポイントを付与するポリシーが予め設定されており、前記ポイント処理手段は、前記ポリシーに従って、前記電子ショッピングモール内の所定範囲の店舗で使用可能な共通ポイントと特定の店舗でのみ使用可能なポイントの両方又は一方を、前記ポリシーに従った量だけ、付与する、
ことを特徴とする電子ショッピングモールシステム。
【請求項２】
前記広告は、前記電子ショッピングモールのウェブページ又は前記電子ショッピングモール内の特定の店舗のウェブページへのリンクを定義するリンク情報を含み、
前記サーバ装置は、前記広告からのリンクによって誘導された顧客のクライアント装置に識別情報を付与する識別情報付与手段を備え、
前記ポイント処理手段は、各クライアント装置がアクセスしてくると、前記識別情報付与手段によって各該クライアント装置に付与された前記識別情報を判別し、前記識別情報が存在する場合には、広告により誘導された顧客であると判別する、
ことを特徴とする請求項１に記載の電子ショッピングモールシステム。
【請求項３】
前記識別情報は、所定のクッキー情報であり、
前記識別情報付与手段は、所定のクッキー情報が付与されていないクライアント装置が前記広告からのリンクにより誘導されて来たときに、クッキーを付与する、
ことを特徴とする請求項２に記載の電子ショッピングモールシステム。
【請求項４】
前記サーバ装置は、前記ポイントを対価の少なくとも一部として商品を販売する手段を備える、ことを特徴とする請求項１乃至３の何れか１項に記載の電子ショッピングモールシステム。
【請求項５】
電子ショッピングモール内の所定の店舗で商品を購入した顧客について、該顧客が、ネットワーク上の所定の広告からのリンク情報によって該店舗に誘導された顧客であるか否かを判別する判別手段と、
前記判別手段が、広告によって誘導された顧客であると判別した場合に、商品を購入した顧客と前記広告を掲載した加盟者とに、所定のポイントを付与し、付与したポイントを該顧客及び該加盟者に対応付けて記憶するポイント処理手段と、を備え、
前記店舗に誘導された顧客の数と当該店舗に誘導された顧客が商品を購入して成約した成約数との比からなる成約率に従って広告を切り換え、顧客が商品を購入したことにより成約した１成約につきポイントを付与するポリシーが予め設定されており、前記ポイント処理手段は、前記ポリシーに従って、前記電子ショッピングモール内の所定範囲の店舗で使用可能な共通ポイントと特定の店舗でのみ使用可能なポイントの両方又は一方を、前記ポリシーに従った量だけ、付与する、
ことを特徴とするコンピュータシステム。
【請求項６】
コンピュータを、
電子ショッピングモール内の所定の店舗で商品を購入した顧客について、該顧客が、ネットワーク上の所定の広告からのリンク情報によってこの店舗に誘導された顧客であるか否かを判別する判別手段、
前記判別手段が、広告によって誘導された顧客であると判別した場合に、商品を購入した顧客と該広告を掲載した加盟者とに、所定のポイントを付与し、付与したポイントを該顧客及び該加盟者に対応付けて記憶するポイント処理手段、として機能させ、
前記店舗に誘導された顧客の数と当該店舗に誘導された顧客が商品を購入して成約した成約数との比からなる成約率に従って広告を切り換え、顧客が商品を購入したことにより成約した１成約につきポイントを付与するポリシーが予め設定されており、前記ポイント処理手段は、前記ポリシーに従って、前記電子ショッピングモール内の所定範囲の店舗で使用可能な共通ポイントと特定の店舗でのみ使用可能なポイントの両方又は一方を、前記ポリシーに従った量だけ、付与する、
ことを特徴とするコンピュータプログラム。
【発明の詳細な説明】
【技術分野】
【０００１】
本発明は、電子ショッピングモールなどにおける広告とインセンティブの付与技術に関する。
【背景技術】
【０００２】
現在、電子ショッピングモールをインターネット上で運営するためのショッピングモールシステムが普及している。例えば、特許文献１には、ユーザがインターネットを介して容易に商品購入注文ができるシステムが開示されている。
【０００３】
電子ショッピングモールの集客力を高めるため、購入額に応じて、顧客にポイント、即ち、インセンティブを付与することが行われている。
【０００４】
また、見込み客を自ショッピングモールに誘導するために、他のサイトに自サイトへのリンク（以下、広告リンクと称する）を掲載してもらい、その対価として当該他のサイトの運営者に報酬を支払っている。
【０００５】
このような広告主と広告掲載者との間を仲介する広告仲介システムでは、報酬の発生する条件が満たされた回数を広告リンクの掲載サイト毎にカウントし、カウント値に基づいて報酬額を算出する。そして、算出した報酬額を広告主から徴収し、広告掲載者に支払う。報酬が発生するための条件として、広告されている商品またはサービスの購入がされた場合等、成約時に報酬の発生条件が満たされるような、成功報酬型のものが登場している。
【０００６】
このように、従来は、顧客に付与するポイントと広告の成功報酬とが別個に処理されており、処理が煩雑であった。これに対し、集客のための手法であるポイントの付与と同じく集客のための手法である広告への支払いとをポイントを通じて処理できれば、処理の手間を省き、効率化することができる。
【０００７】
また、ショッピングモールのような多数の店舗の集合体では、広告とその成果との関係が不明確で、広告費と売り上げとの関係で、不公平感を与えるおそれがあった。
【特許文献１】特開２００１−２２９１７１号公報
【発明の開示】
【発明が解決しようとする課題】
【０００８】
本発明は、上記問題に鑑みてなされたもので、電子ショッピングモールの参加店舗が顧客に付与するポイントにより広告の決済を可能とすると共に、店舗別の広告の成果実績に応じて広告掲載者への報酬を与えるシステムを提供することを目的とする。
【課題を解決するための手段】
【０００９】
上記課題を解決するために、本発明の第１の観点にかかる電子ショッピングモールシステムは、
電子ショッピングモールを構成するサーバ装置と、回線網を介して前記サーバ装置に接続され、前記電子ショッピングモール内の任意の店舗の商品を購入するためのクライアント装置と、回線網上で前記電子ショッピングモールの広告を掲載する広告掲載手段と、
から構成される電子ショッピングモールシステムであって、
前記サーバ装置は、
前記電子ショッピングモール内の所定の店舗で商品を購入した顧客について、該顧客が、前記広告掲載手段に掲載された広告によって該店舗に誘導された顧客であるか否かを判別する判別手段と、
前記判別手段が、前記広告によって誘導された顧客であると判別した場合に、商品を購入した顧客と該広告を掲載した加盟者とに、所定のポイントを付与し、付与したポイントを該顧客及び加盟者に対応付けて記憶するポイント処理手段と、を備え、
前記店舗に誘導された顧客の数と当該店舗に誘導された顧客が商品を購入して成約した成約数との比からなる成約率に従って広告を切り換え、顧客が商品を購入したことにより成約した１成約につきポイントを付与するポリシーが予め設定されており、前記ポイント処理手段は、前記ポリシーに従って、前記電子ショッピングモール内の所定範囲の店舗で使用可能な共通ポイントと特定の店舗でのみ使用可能なポイントの両方又は一方を、前記ポリシーに従った量だけ、付与する、
ことを特徴とする。
【００１０】
例えば、前記広告は、前記電子ショッピングモールのウェブページ又は前記電子ショッピングモール内の特定の店舗のウェブページへのリンクを定義するリンク情報を含み、前記サーバ装置は、前記広告からのリンクによって誘導された顧客のクライアント装置に識別情報を付与する識別情報付与手段を備え、前記ポイント処理手段は、各クライアント装置がアクセスしてくると、前記識別情報付与手段によって各該クライアント装置に付与された前記識別情報を判別し、前記識別情報が存在する場合には、広告により誘導された顧客であると判別する。
【００１１】
例えば、前記識別情報は、所定のクッキー情報であり、前記識別情報付与手段は、所定のクッキー情報が付与されていないクライアント装置が前記広告からのリンクにより誘導されて来たときに、クッキーを付与する。
【００１３】
例えば、前記サーバ装置は、前記ポイントを対価の少なくとも一部として商品を販売する手段を備える。
【００１４】
本発明の第２の観点にかかるコンピュータシステムは、
電子ショッピングモール内の所定の店舗で商品を購入した顧客について、該顧客が、ネットワーク上の所定の広告からのリンク情報によって該店舗に誘導された顧客であるか否かを判別する判別手段と、
前記判別手段が、広告によって誘導された顧客であると判別した場合に、商品を購入した顧客と前記広告を掲載した加盟者とに、所定のポイントを付与し、付与したポイントを該顧客及び該加盟者に対応付けて記憶するポイント処理手段と、を備え、
前記店舗に誘導された顧客の数と当該店舗に誘導された顧客が商品を購入して成約した成約数との比からなる成約率に従って広告を切り換え、顧客が商品を購入したことにより成約した１成約につきポイントを付与するポリシーが予め設定されており、前記ポイント処理手段は、前記ポリシーに従って、前記電子ショッピングモール内の所定範囲の店舗で使用可能な共通ポイントと特定の店舗でのみ使用可能なポイントの両方又は一方を、前記ポリシーに従った量だけ、付与する、
ことを特徴とする。
【００１５】
本発明の第３の観点にかかるコンピュータプログラムは、
コンピュータを、
電子ショッピングモール内の所定の店舗で商品を購入した顧客について、該顧客が、ネットワーク上の所定の広告からのリンク情報によってこの店舗に誘導された顧客であるか否かを判別する判別手段、
前記判別手段が、広告によって誘導された顧客であると判別した場合に、商品を購入した顧客と該広告を掲載した加盟者とに、所定のポイントを付与し、付与したポイントを該顧客及び該加盟者に対応付けて記憶するポイント処理手段、として機能させ、
前記店舗に誘導された顧客の数と当該店舗に誘導された顧客が商品を購入して成約した成約数との比からなる成約率に従って広告を切り換え、顧客が商品を購入したことにより成約した１成約につきポイントを付与するポリシーが予め設定されており、前記ポイント処理手段は、前記ポリシーに従って、前記電子ショッピングモール内の所定範囲の店舗で使用可能な共通ポイントと特定の店舗でのみ使用可能なポイントの両方又は一方を、前記ポリシーに従った量だけ、付与する、
ことを特徴とする。
【発明の効果】
【００１６】
この発明によれば、購入者と広告掲載者とに所謂ポイント（インセンティブ）が共に付与され処理が効率化される。
【発明を実施するための最良の形態】
【００１７】
以下、本発明の実施の形態に係る電子ショッピングモールシステムを図面に参照して説明する。
【００１８】
本実施形態では、「事業体Ｘ」が「電子ショッピングモール」を運営する。「加盟店」は、この電子ショッピングモールシステムに参加し、商品（サービスを含む）を販売する。そして、各「加盟者」は事業者Ｘ自身や電子ショッピングモールの参加店舗から提供されるバナー広告などの広告を、自己のウェブページ上に掲載する。「一般ユーザ」が「加盟者」が開設するウェブページに表示されている広告に誘導されて電子ショッピングモールを参照し、所定の期間（例えば、６０日）以内に広告されているその商品を購入した場合、「加盟店」は商品の購入やサービスの提供を成約として承認する。そして、「加盟店」は、購入者に購入ポイントを付与すると共に「加盟者」に報酬としてポイントを付与する。
【００１９】
図１に示すように、本実施の形態にかかる広告仲介システム１は、通信ネットワークＣを介して相互接続された、運営サーバ１００とクライアント２００、２０１とから構成される。また、通信ネットワークＣを介して、一般のユーザがパーソナルコンピュータ（ＰＣ）３から運営サーバ１００にアクセスする。また、ウェブサーバ４が通信ネットワークＣに接続されている。
【００２０】
通信ネットワークＣは、例えば、ＴＣＰ／ＩＰ（Transmission Control Protocol/Internet Protocol）などの所定の通信プロトコルに基づく、インターネットなどの通信ネットワークである。
【００２１】
運営サーバ１００は、コンピュータ装置又はコンピュータ装置群から構成され、電子ショッピングモールを構成する。また、広告掲載の仲介・管理を行う。
【００２２】
運営サーバ１００は、図２に示すように、制御部１１０と、記憶部１２０と、入力制御部１３０と、出力制御部１４０と、通信制御部１５０、とを備える。
【００２３】
制御部１１０は、例えば、ＣＰＵ（Central Processing Unit）やワークエリアとなる記憶装置（例えば、ＲＡＭ（Random Access Memory）など）から構成される。そして、制御部１１０は、運営サーバ１００の各部を制御するとともに、記憶部１２０に格納されている所定の動作プログラムに基づいて後述する各処理を実行する。
【００２４】
記憶部１２０は、例えば、ハードディスク装置などの書き換え可能な記憶装置から構成され、制御部１１０が実行する種々の実行プログラムや、電子ショッピングモールでの取引に関する情報や、広告を管理するための情報などを蓄積する。
【００２５】
記憶部１２０は、図３に示すように、動作プログラム記憶部１２１、商品情報データベース（ＤＢ）１２２、店舗情報データベース（ＤＢ）１２３、顧客情報データベース（ＤＢ）１２４、バナー画像記憶部１２５、加盟者データベース（ＤＢ）１２６、広告主データベース（ＤＢ）１２７、オファーデータベース（ＤＢ）１２８、広告データベース（ＤＢ）１２９、注文データベース（ＤＢ）１３１等を備える。
【００２６】
動作プログラム記憶部１２１には、運営サーバ１００の基本動作を司るオペレーティングシステム（Operating System：ＯＳ）が格納されていることはもとより、例えば、以下のようなプログラムが格納される。
（１）「通信プログラム」：通信制御部１５０を制御し、通信ネットワークＣを介してクライアント２００とＰＣ３と通信を行うプログラム
（２）「ＤＢ制御プログラム」：記憶部１２０に格納された各ＤＢの入出力制御および所定の検索を行うプログラム
（３）「モール制御プログラム」：運営サーバ１００を電子ショッピングモールとして機能させるためのプログラムであり、主に、電子ショッピングモールを構成する各ウェブページを提供するためのプログラム、取引プログラム、決済プログラム
（４）「広告表示管理プログラム」：広告を仲介・管理するためのプログラム
【００２７】
商品情報ＤＢ１２２は、電子ショッピングモールに出店する店舗別に、その店舗の取扱商品の情報を保存する。例えば、商品情報ＤＢ１２２は、図４に示すような商品情報テーブル１４１を記憶する。商品情報テーブル１４１の各エントリには、商品ＩＤ、商品名、価格、ショッピングモールカテゴリ、店舗カテゴリ、商品キーワード、商品紹介、商品画像、登録日、その他情報が保存される。
【００２８】
商品ＩＤは、電子ショッピングモールに出店する全店舗および全商品にユニークな識別情報である。商品名はその商品の名称である。価格はその商品の単価である。ショッピングモールカテゴリは、電子ショッピングモール全体で用いられる共通カテゴリで分類されたその商品のカテゴリ名である。店舗カテゴリは、各店舗が独自に設定したカテゴリで分類されたその商品のカテゴリ名である。商品キーワードは、その商品を検索するために予め設定されているワードである。商品紹介は、その商品への購買意欲を高めるために紹介するキャッチフレーズなどの文章である。商品画像は、商品の写真等、任意の画像である。登録日は、その商品が電子ショッピングモールに登録された日付を示す情報である。
【００２９】
図３に示す店舗情報ＤＢ１２３は、電子ショッピングモールに出店している店舗に関する情報を格納する。具体的には、店舗情報ＤＢ１２３は、電子ショッピングモールに出店する各店舗の情報を格納した店舗情報テーブルを記憶する。図５に例示するように、店舗情報テーブルは、店舗コード、店舗特定データ、店舗紹介画面データやカテゴリ定義情報、表示順情報を記憶する。
【００３０】
店舗コードは、電子ショッピングモール内の店舗を特定するためのコード情報である。店舗名は、店舗の名称である。店舗紹介画面データは、店舗を紹介するためのデータである。カテゴリ定義情報は、任意のデータ形式で、店舗の商品カテゴリの構造を定義する。表示順は、商品の表示順のデフォルトを示す。
【００３１】
顧客情報ＤＢ１２４は、本電子ショッピングモールシステム１の顧客に関する情報を蓄積する。なお、この電子ショッピングモールで商品を購入するためには、事前登録が必要である。図６に示すように、顧客情報ＤＢ１２４には、顧客毎に一意に割り当てられた「顧客コード」を主キーとするレコードが作成される。このレコードは、「顧客名」、「属性情報」、「獲得ポイント情報」等を含む。
【００３２】
「顧客コード」は、登録される加盟者毎に割り当てられる識別情報である。「顧客名」は、顧客の氏名を示す情報である。「属性情報」は、顧客の住所、連絡先、年齢、性別などの属性を示す種々の情報である。
「獲得ポイント情報」は、この顧客が電子ショッピングモール内の店舗で商品を購入する等して獲得したポイントを表す。獲得ポイントは、全店舗に共通の共通ポイント、店舗別の店舗ポイントを含む。例えば、「共通：１１９」は共通ポイントを受け入れる全店舗で共通に使えるポイント（インセンティブ）を１１９ポイント有していることを意味する。このポイントは、１ポイント１円のように、貨幣的価値を有するものでもよく、或いは、ポイントにより物品やサービスと交換できるようなものでもよい。また、例えば、「Ｆ１０１：２」は店舗コードＦ１０１で特定される商店Ｘが発行するポイント（インセンティブ）を２ポイント有すことを意味する。このポイントは、商店Ｘでのみ使用できる点を除けば、共通ポイントと同様である。なお、顧客が、支払いや交換によりポイントを使用すれば、その分だけ対応するポイント残高が更新（減額）される。
【００３３】
図３に示すバナー画像記憶部１２５は、広告主が提供したバナー画像ファイルを格納する。例えば、広告主が事業体Ｘに対し広告を出稿した際に、クライアント２００から運営サーバ１００にバナー画像ファイルが送信される。そして、運営サーバ１００はバナー画像記憶部１２５に当該ファイルを格納する。
【００３４】
加盟者ＤＢ１２６は、本広告仲介システム１に参加している加盟者に関する情報である加盟者情報を蓄積する。図７に示すように、加盟者ＤＢ１２６には、加盟者毎に一意に割り当てられた「加盟者コード」を主キーとするレコードが作成される。加盟者情報は、「加盟者名」、「属性情報」、「オファー情報」、「ページ情報」、「獲得ポイント」等を含む。
【００３５】
「加盟者コード」は、登録される加盟者毎に割り当てられる識別情報である。「加盟者名」は、加盟者の名称を示す情報である。「属性情報」は、加盟者に関する属性を示す種々の情報であり、例えば、加盟者の住所、連絡先情報、等である。
【００３６】
「オファー情報」は、ウェブページ内における広告掲載の申し出を管理するための情報であり、例えば、広告主コード、等を記録する。ここでの「広告主コード」は、加盟者が申し出を行った広告主を識別するための情報である。「画像情報」は、加盟者が申し込んだオファー（以下、この意味でオファーを用いる場合、「提携オファー」と称する。）を受け入れた場合にウェブページにリンクとともに貼り付けられる画像ファイルを識別するための情報である。
【００３７】
「ページ情報」は、加盟者が開設しているウェブページを管理するための情報であり、例えば、「ページＩＤ」、「表示オファー情報」等を記録する。「ページＩＤ」はウェブページを識別する識別子であり、例えばＵＲＬ（Universal Resource Locator）である。 「表示オファー情報」は、ウェブページに挿入されている広告がいずれのオファーによるものかを記録しており、例えば、後述する「オファーＩＤ」等を記録する。
「獲得ポイント情報」は、この加盟者が開設しているウェブページに掲載する広告に導かれて電子ショッピングモールを訪問した新規顧客が、電子ショッピングモール内の店舗で商品を購入してことにより、与えられたポイントを表す。獲得ポイントは、全店舗に共通の共通ポイント、店舗別の店舗ポイントを含む。例えば、「共通：３２」は共通ポイントを受け入れる全店舗で共通に使えるポイント（インセンティブ）を３２ポイント有していることを意味する。また、例えば、「Ｆ１３：１１２」は店舗コードＦ１３で特定される店舗が発行するポイントを１１２ポイント有すことを意味する。加盟者が、支払いや交換によりポイントを使用すれば、その分だけ対応するポイント残高が更新（減額）される。
【００３８】
図３に戻って、広告主ＤＢ１２７は、事業体Ｘに広告を出稿した広告主自身および出稿した広告に関する情報である広告主情報を蓄積する。広告主は、原則として、電子ショッピングモールの運営主体Ｘ又は加盟店であるが、これに限定されるものではない。図８に示すように、広告主ＤＢ１２７には、広告主毎に一意に割り当てられた「広告主コード」を主キーとするレコードが作成される。広告主情報は、「広告主名」、「属性情報」、「出稿情報」等を含む。
【００３９】
「広告主コード」は、登録される広告主毎に割り当てられる識別情報である。広告主コードは、店舗コードと共通でもよい。「広告主名」は、広告主の名称を示す情報である。「属性情報」は、広告主の属性を示す種々の情報であり、例えば、広告主の住所、連絡先情報、等である。「連絡先情報」は、例えば、住所やファクシミリ番号、電話番号、電子メールアドレス、等である。「出稿情報」は、広告主が出稿した広告を識別するための情報であり、広告ＤＢ１２９で説明する「広告コード」等を格納する。
【００４０】
オファーＤＢ１２８は、広告主が提供する広告に対する加盟者からの提携オファーを管理するためのオファー管理情報を蓄積する。図９に示すように、オファーＤＢ１２８には、提携オファー毎に一意に割り当てられた「オファーＩＤ」を主キーとするレコードが作成される。オファー管理情報は、「オファー先情報」、「オファー現況情報」、「成約数」、「有効期限情報」、「画像情報」、「報酬支払条件情報」等を含む。
【００４１】
「オファー先情報」は、提携オファーがいずれの広告主に対して提出したかを示す情報であり、例えば、広告主コードなどを記録する。
「オファー現況情報」は、提携オファーの現況を示す情報である。例えば、「未」であれば提携オファーが広告主（相手側）に対して出された直後であり、広告主の承認待ちの状態であることを示す。「可」の場合は、広告主から承認を受け広告掲載前であることを示す。また、「否」の場合は、提携オファーが相手側から拒否されたことを示し、「表」の場合は、広告が表示可能な状態になっていることを示す。
【００４２】
「成約数」は、一般ユーザが広告をクリックし、その後所定の期間（例えば、６０日）内に、広告主が開設するウェブページで商品（あるいはサービス）を購入した場合の、商品（あるいはサービス）購入数の総数を格納する。「画像情報」は、提携オファーを広告主が受け入れた場合に加盟者のウェブページにリンクとともに貼り付けられる画像ファイルを識別するための情報であり、例えば、当該画像ファイルが存在する場所を示す情報である。この実施形態では、バナー画像記憶部１２５内である。また、「報酬支払条件情報」は提携オファーにおける、加盟者への広告料金の支払い条件を記録する情報である。１つの成約に関して、成約舗で使用可能な店舗ポイント又は電子ショッピングモール内で使用できる共通ポイントの何れかの額が設定される。
【００４３】
図３に戻って、広告ＤＢ１２９は、広告主が出稿した広告を管理するための情報である広告情報を蓄積する。図１０に示すように、広告ＤＢ１２９には、広告毎に一意に割り当てられた「広告コード」を主キーとするレコードが作成される。広告情報は、「広告主コード」、「有効期限情報」、「画像情報」、「報酬支払条件情報」、「提出オファー情報」等を含む。
【００４４】
「広告主コード」は、広告を提供する広告主を示す情報である。「報酬支払条件情報」は、オファーにおける、加盟者への広告料金の支払い条件を記録し、例えば、「１成約あたり共通ポイントＺポイント」或いは「１成約あたり店舗ポイントＺポイント」などの旨を示す情報が記録される。これは、オファーＤＢ１２８に登録される内容と対応している。「提出オファー情報」は、広告に対して申し込まれたオファーを識別するための情報である。広告コード「Ｄ３０００１」のレコードに示すように、１つの広告コードに対して複数の提出オファー情報が対応付けられることもある。
【００４５】
注文ＤＢ１３１は、加盟者のウェブページを経由して広告主のウェブページを訪れた一般ユーザが行った注文を管理するための情報である注文特定情報を蓄積する。
【００４６】
図１１に示すように、注文ＤＢ１３１には、注文毎に一意に割り当てられた「注文コード」を主キーとするレコードが作成され、各レコードには、「広告主コード」、「オファーＩＤ」、「承認結果情報」、「日付情報」等が格納される。「承認結果情報」は、注文に関し広告主が広告料金を支払うか否かの承認結果を格納する。「日付情報」は注文に関する「クリック日」、「成約日」、「承認期限日」などの日付情報を格納する。ここで、「クリック日」とは注文の契機となった日付、すなわち、一般ユーザが加盟者のウェブページに貼り付けられた広告主のウェブページへのリンクをクリックした日付である。「成約日」とは注文が成約した日付である。例えば、商品が注文した者の元に届けられた日や商品の購入代金が払い込まれた日や、サービスの申し込みとオンライン決済とが完了した日時などである。「承認期限日」とは、「成約日」から所定の日数（例えば、４５日）後の日付である。
【００４７】
図２に戻って、入力制御部１３０は、例えば、キーボードやポインティングデバイスなどの入力装置１３を接続し、入力装置１３から入力された、制御部１１０への指示などを受け付けて制御部１１０に伝達する。
【００４８】
出力制御部１４０は、例えば、ディスプレイ装置やプリンタなどの出力装置１４を接続し、制御部１１０の処理結果などを必要に応じて出力装置１４に出力する。
【００４９】
通信制御部１５０は、例えば、ＮＩＣ(Network Interface Card）やルータなどの通信装置から構成され、運営サーバ１００と通信ネットワークＣとを接続し、クライアント２００やＰＣ３との通信を行う。
【００５０】
図１に戻って、クライアント２００は、各加盟者が使用し、クライアント２０１は、店舗関係者（広告主）が使用する。クライアント２００の機能的構成とクライアント２０１の機能的構成は同一である。代表して、クライアント２００の構成を図１２に示す。
【００５１】
図示するように、クライアント２００は、制御部２１０と、記憶部２２０と、入力制御部２３０と、出力制御部２４０と、通信制御部２５０とを備える。
【００５２】
制御部２１０は、例えば、ＣＰＵやワークエリアとなる所定の記憶装置（例えばＲＡＭなど）から構成され、クライアント２００の各部を制御するとともに、記憶部２２０に格納されている所定の動作プログラムに基づいて後述する各処理を実行する。
【００５３】
記憶部２２０は、例えば、ハードディスク装置などの書き換え可能な記憶装置から構成される。記憶部２２０は、ＯＳ、および、運営サーバ１００にアクセスして設計仕様の閲覧などを行うためのプログラムである、ウェブブラウザプログラムなどを蓄積する。
【００５４】
入力制御部２３０は、例えば、キーボードやポインティングデバイスなどの入力装置２３を接続し、入力装置２３から入力された、制御部２１０への指示などを受け付けて制御部２１０に伝達する。
【００５５】
出力制御部２４０は、例えば、ディスプレイ装置などの出力装置２４を接続し、制御部２１０の処理結果などを必要に応じて出力装置２４に出力する。
【００５６】
通信制御部２５０は、例えば、ＮＩＣやルータなどの通信装置から構成され、クライアント２００と通信ネットワークＣとを接続し、運営サーバ１００やウェブサーバ４との通信を行う。
【００５７】
図１に戻り、ＰＣ３は、一般ユーザ（顧客を含む）により利用される端末装置であり、通常のパーソナルコンピュータ等から構成される。特に、この実施の形態に特有なウェブブラウザプログラムと入力プログラムを格納する。
【００５８】
ウェブサーバ４は、加盟者が開設したウェブサイトを構成する各ウェブページを格納する。ウェブサーバ４は、通信ネットワークＣを介して、ＰＣ３からのアクセスを受け付け、アクセス元のＰＣ３上のウェブブラウザプログラムにウェブページのデータ等を送信する。
【００５９】
以下、上記構成の電子ショッピングモールシステム１の動作について説明する。
【００６０】
（商品・店舗表示処理）
まず、登録済みの顧客が、運営サーバ装置１００にアクセスし商品を閲覧・購入するときに運営サーバ装置１００が行う処理を説明する。
【００６１】
顧客は、ＰＣ３から、運営サーバ装置１００にアクセスし、認証処理等を行って、目的とする店舗のページを開き、カテゴリをたどること、検索すること等により希望の商品を選択し、必要に応じて、商品を購入する。その購入額に応じて、店舗は、その店舗のポリシーに従って、共通ポイント又は店舗ポイントを付与する。付与された店舗ポイントは、顧客情報ＤＢ１２４に格納されている獲得済のポイントに加算される。顧客は、適宜、蓄積したポイントを支払い等に使用できる。ポイントが使用されると、顧客情報ＤＢ１２４に格納されている獲得済ポイントの残高が、使用した分だけ減額される。
【００６２】
次に、広告より誘導された新規顧客が商品を購入することにより、この顧客と広告を掲載した利用者とにポイントが付与される動作を説明する。
まず、図１３を参照して、全体的な流れを説明する。
【００６３】
まず、電子ショッピングモールの参加者である広告主は、電子ショッピングモールを運営する事業体Ｘに対し、広告出稿の申し出を行う（ステップＳ１１）。なお、事業体Ｘ自身が広告主であることもある。事業体Ｘは広告内容等を審査し、適当と認めた場合に、広告主が申し出た広告の内容を示す情報である広告情報を運営サーバ１００に登録する。加盟者は、運営サーバ１００に登録されている広告情報を見て（ステップＳ１２）、広告主に対して、運営サーバ１００を介して広告掲載の申し出をする（ステップＳ１３、１４）。広告主は、加盟者のウェブページを閲覧する等して、広告する場所としてふさわしいか否かを判断し、申し出を受けるか否かについて返答する（ステップＳ１５）。広告主が申し出を受け入れた（承認した）場合、運営サーバ１００がその旨を加盟者に通知する（ステップＳ１６）。加盟者は自身のウェブページに広告リンクを作成し、ウェブサーバ４にアップロードする（ステップＳ１７）。
【００６４】
その後、一般ユーザ（この段階では未登録）がＰＣ３を使用して、ウェブサーバ４上の加盟者のウェブページを閲覧し、そのウェブページ上に掲載されている広告をクリックまたは閲覧すると（ステップＳ１８）、ウェブサーバ４からＰＣ３に後述する「注文特定情報」が送信され（ステップＳ１９）、ＰＣ３に保存される。さらにその後一定期間内に一般ユーザが、電子ショッピングモール（運営サーバ１００）を訪問すると、ＰＣ３に保存されていた「注文特定情報」が電子ショッピングモール（運営サーバ１００）に送信される（ステップＳ２０）。電子ショッピングモールで、そのユーザが、商品を購入すると（ステップＳ２１）、運営サーバ１００はそのユーザにポイントを付与するとともに、「成約情報」を生成し、広告主に通知する（ステップＳ２２）。この「成約情報」に関し、広告主がポイント支払いの条件を満たしていると判断すれば、ポイントの支払いを承認し、事業体Ｘを介してポイントを加盟者に支払う（ステップＳ２３、Ｓ２４）。
【００６５】
以下、ステップＳ１１からＳ２４までの電子ショッピングモールシステム１の動作について、ステップ単位でより詳細に説明する。
【００６６】
ここでは、理解を容易にするため、ウェブページに複数の広告スペースを設定できるものとし、加盟者は同時に複数のウェブページを開設できないものとする。
【００６７】
以下の説明においては、特に必要がなければ、制御部１１０、記憶部１２０、通信制御部１５０の個々の動作を述べずに、運営サーバ１００全体の動作として説明する。
【００６８】
＜掲載条件設定と広告出稿（ステップＳ１１）＞
図１４に示した表示画面は、運営サーバ１００が提供するアフィリエイト管理用のトップページの表示例である。広告主や加盟者はここからリンクをたどって、各ページに移動できる。広告主が画面内の「広告主のページ」と書かれた部分を、入力装置２３（マウス）でクリックすると、「広告主専用管理ページ」に移動する。ただし、「広告主専用管理ページ」は広告主のみがアクセス可能である。このため、運営サーバ１００は以下で説明するような認証を実施することにより、アクセスの許否を決定する。
【００６９】
運営サーバ１００の通信制御部１５０が、通信ネットワークＣを介してクライアント２０１から「広告主専用管理ページ」の表示要求を受信すると、制御部１１０は所定のユーザ認証、例えば、広告主コードとパスワードとを用いた認証処理を行う。認証に成功すれば、運営サーバ１００は、図１５に示すような「広告主専用管理ページ」を作成し、要求元のクライアント２０１に送信する。
【００７０】
図示するように、「広告主専用管理ページ」には、メニューがリスト表示される。広告主は、所望する処理を選択してクリックすることで、選択された処理を指定する情報が運営サーバ１００に送信される。例えば、この「広告主専用管理ページ」において、「新しい広告を出します」と表示されている部分をクリックする。すると、その旨と広告主コードとパスワードとがクライアント２０１から運営サーバ１００へ送信され、運営サーバ１００は「広告掲載条件設定ページ」を作成して、要求元のクライアント２０１へ送信する。
【００７１】
図１６に示した広告掲載条件設定ページには、広告の内容を特定するための情報を広告主に入力させるための入力エリアや、入力エリアへの入力を支援するための「検索」ボタン等が配置されている。ここで入力される事項は、広告ＤＢ１２９に記録される「報酬支払条件情報」、「有効期限情報」等に対応する。報酬支払い条件は、電子ショッピングモール全体で有効な共通ポイントと広告主の店舗でのみ有効な店舗ポイントのいずれであるか、１成約につき与えるポイント数等の情報である。「バナー画像」の入力内容は運営サーバ１００に送信される前のバナー画像ファイルの格納場所を示す情報である。
【００７２】
広告主が所定の情報を入力して「送信」ボタンをクリックすると、入力された内容（以下、「オファー設定情報」と称する）が通信ネットワークＣを介して運営サーバ１００に送信される（図１３：ステップＳ１１）。
【００７３】
運営サーバ１００は、オファー設定情報を受信すると、受信したオファー設定情報に基づいて、広告ＤＢ１２９に新たなレコードを作成し、広告主ＤＢ１２７の「広告情報」に、追加したレコードに対応する広告コードを追加する。この時、広告ＤＢ１２９に作成されたレコードはオファー情報が登録されていない状態になっている。そして、運営サーバ１００は、再び「管理ページ」を作成して要求元のクライアント２０１に送信する。
【００７４】
また、運営サーバ１００は「バナー画像」の項目に入力された格納場所を示す情報で指定された場所にあるバナー画像ファイルを取得し、バナー画像記憶部１２５に格納する。そして、広告ＤＢ１２９内の対応するレコード内の「画像情報」をバナー画像記憶部１２５内の格納場所を指し示すように設定する。
【００７５】
＜提携の申し込み（広告掲載の申し出：図１３、ステップＳ１２、Ｓ１３）＞
次に、「提携申し込み処理」を説明する。ここでは、ある加盟者がクライアント２００を操作して、自己のウェブページに、広告主から提供された広告の掲載をその広告主に申し込む際のクライアント２００および運営サーバ１００の処理を説明する。
【００７６】
加盟者は、クライアント２００から、運営サーバ１００にアクセスし、広告の掲載条件を設定する。加盟者は、事業体Ｘが開設するウェブ運営サーバ１００にアクセスし、図１７に示す「加盟者専用ページ」内の「管理ページ」から「オファーを見ます」と書かれている部分をクリックして、「提携申し込みページ」にアクセスする。なお、「広告主専用ページ」へのアクセスと同様、「加盟者専用ページ」へのアクセスは、加盟者に制限されており、「加盟者専用ページ」へのアクセス時には、ユーザ認証が行われる。
【００７７】
「加盟者専用ページ」内の「管理ページ」から「オファーを見ます」と書かれている部分を加盟者がクリックする。すると、その旨と加盟者コードとパスワードとがクライアント２００から運営サーバ１００へ送信され、運営サーバ１００は「提携申し込みページ」を作成して、要求元のクライアント２００へ送信する。
【００７８】
図１８に示した申し込み可能広告一覧（提携申し込みページ）には、加盟者が提携オファーを申し込むことのできる広告がリスト表示されている。これは、運営サーバ１００が、広告ＤＢ１２９の有効期限情報を参照して、抽出した広告情報を所定の配置とすることで作成される。提携申し込みページにリスト表示された広告情報に、選択可能なラジオボタンが配置されている。加盟者は、広告主から提示されている報酬条件を参考にして、提携オファーを申し込むか否か判断し、ラジオボタンをクリックして提携オファーを申し込むことの旨を運営サーバ１００に伝えることができる。
【００７９】
加盟者が所定の情報を入力して「送信」ボタンをクリックすると、入力された内容（以下、「入力オファー情報」と称する）が通信ネットワークＣを介して運営サーバ１００に送信される。
【００８０】
運営サーバ１００は、入力オファー情報を受信すると、受信した入力オファー情報に基づいて、オファーＤＢ１２８と広告ＤＢ１２９とに新たなレコードを作成し、加盟者ＤＢ１２６の「オファー情報」に対応するオファーＩＤを追加する。そして、再び「管理ページ」を作成して要求元のクライアント２００に送信し、「提携申し込み処理」を終了する。
【００８１】
＜提携承認（図１３：ステップＳ１４、Ｓ１５）＞
加盟者からの提携オファーを運営サーバ１００が受け付けると、提携オファーを申し込まれた広告主は当該提携オファーを受諾するか否か判断し、運営サーバ１００に判断結果を送信する。この「提携承認処理」を説明する。
【００８２】
広告主が、上述の図１５に示す広告主専用の「管理ページ」上の「加盟者からのオファーを承認します」と書かれた部分を選択して送信ボタンをクリックすると、クライアント２０１から運営サーバ１００に、広告主コードとパスワードと受信している未承諾の提携オファーを要求する旨の情報とが送信される。すると、運営サーバ１００は「提携承認処理」を開始する。運営サーバ１００は、送信された広告主コードに対応する広告主に対して申し込まれた提携オファーを広告主ＤＢ１２７内の出稿情報から取り出す。次に、広告ＤＢ１２９を参照して広告に対して提出された提携オファーを判別する。さらに、オファーＤＢ１２８を参照してこれらの提携オファーのそれぞれについて、未承認であるか否かを判別する。例えば、運営サーバ１００はこれらの提携オファーのオファー現況情報が「未」となっているものを未承認であるものと判別する。そして、取り出した未承認のオファー情報から、「未承認オファー一覧ページ」を作成し、要求元のクライアント２００に送信する（図１３：ステップＳ１４）。
【００８３】
クライアント２０１は、未承認オファー一覧ページを出力装置２４に表示させる。この未承認オファー一覧ページの表示例を図１９に示す。
【００８４】
図示するように、未承認オファー一覧ページには、広告主が提携を承認していないオファー情報が表示される。このページに表示された各オファー情報には、例えば、ラジオボタンなどの択一的選択手段が付されており、広告主は、承認の認否を所望するオファー情報を選択して、ページ下段の「送信ボタン」をクリックすることで、選択された提携オファーを指定する情報が運営サーバ１００に送信される。
【００８５】
提携オファーが選択されたことに応じて、運営サーバ１００は、図２０に示すような「オファー詳細ページ」を作成して要求元のクライアント２０１に送信する。
図示するように、受信オファー詳細ページには、提携オファーを申し込んだ加盟者の名称や、オファーの条件情報、提携オファーに付加されたコメント、等が配置される。ここで表示されている事項は、オファーＤＢ１２８に記録されているオファー情報に対応するものである。また、提携オファーを承認するか否かの情報を入力するためのボタンも配置されている。
【００８６】
なお、広告主は提携オファーを受けようとする加盟者のウェブページを閲覧して、補足的な判断材料を得ることができる。この場合、広告主は、下線が付されている「ここをクリック」の部分をクリックすると、例えば、ウェブサーバ４に格納されているウェブページが新しいウィンドウに表示される。
【００８７】
ここで、広告主が「はい」のボタンをクリックすると、提携オファーを指定する情報と承認を示す情報とがクライアント２０１から運営サーバ１００に送信される。また、「いいえ」のボタンをクリックすると、提携オファーを指定する情報と否認を示す情報とが送信される。
【００８８】
運営サーバ１００は、提携オファーを指定する情報と承認／否認を示す情報とを受信すると（ステップＳ１５）、指定された提携オファーをオファーＤＢ１２８から検索して、その提携オファーのオファー現況情報を受信した承認／否認を示す情報に従って、「可」または「否」に設定する。そして、掲載承認処理を終了し、受信オファー一覧ページを送信する。
【００８９】
＜広告リンクの埋め込み＞
加盟者が、広告主から提携オファーを承認する旨の情報を運営サーバ１００を介して通知された場合（図１３：ステップＳ１６）、要求元の加盟者は広告主の広告を自己のウェブページに掲載するために、エディタ等を用いて、ウェブページのソースファイルを編集する（ステップＳ１７）。なお、ステップＳ１６において、加盟者が広告主から提携オファーを否認する旨の情報を受け取った場合は、以下の処理は実行されない。
【００９０】
加盟者が、図１７に示した「管理ページ」上の「受諾されたオファーをページに反映させます」と書かれた部分を選択すると、クライアント２００から運営サーバ１００に、加盟者コードとパスワードと掲載待ちとなっている提携オファーを要求する旨の情報とが送信される。すると、運営サーバ１００は「承認済み広告掲載処理」を開始し、送信された加盟者コードに対応する加盟者において、オファー情報を加盟者ＤＢ１２６から抽出し、オファーＤＢ１２８を参照して、抽出したオファー情報からさらに掲載待ちの状態となっているオファー情報だけに絞り込む。そして、抽出した掲載待ちのオファー情報から、広告データと「広告ソース表示ページ」とを作成し、要求元のクライアント２００に送信する。
【００９１】
図２１に示すように、「広告ソース表示ページ」には、掲載待ちになっているオファー情報（広告主名等）が配置され、ソースファイルに貼り付けるための広告データがデータ表示欄１９０に表示されている。加盟者は、データ表示欄１９０に表示されているテキスト化された広告データをそのまま、ソースファイルの適当な位置に貼り付け、保存する。そして、更新したソースファイルを、プロバイダが定める場所に格納することで、広告が挿入されたウェブページが表示可能な状態に置かれる。
【００９２】
この広告データは、一般ユーザが広告に埋め込まれているリンクをクリックした後に広告主のウェブページ等で商品を購入したことを、運営サーバ１００が把握するためのデータ（以下、「注文特定情報」と呼ぶ）を含む。例えば、広告データは、画像データへのリンクと、広告主のウェブページへのリンクと、「注文特定情報」を含むクッキー（Cookie）を生成しＰＣ３に送信するための、クッキー生成スクリプト、等により構成される。なお、クッキーは、所定の有効期限（例えば、６０日）を持ち、運営サーバ１００に送信可能に設定される。
【００９３】
加盟者が、各広告データを貼り付けた後、広告ソース表示ページ下部の「完了」ボタンをクリックすると、クライアント２００は広告を貼り付けた旨の情報を運営サーバ１００に送信する。
【００９４】
運営サーバ１００は、掲載待ちの状態となっていたオファー情報をオファーＤＢ１２８から読み出して、オファー情報に含まれる「オファー現況情報」を「表」に更新して格納する。そして、運営サーバ１００は、「承認済み広告掲載処理」を終了する。
【００９５】
＜広告の表示および広告料金算出データの取得＞
一般（未登録）ユーザはＰＣ３上で、ウェブブラウザプログラムを立ち上げて、加盟者が開設するウェブページにアクセスする（図１３：ステップＳ１８）。その後、運営サーバ１００が提供する広告主が開設するウェブページへのリンクをクリックすると、広告主のウェブページにアクセスするとともに、ＰＣ３に上述のクッキーが送信され（ステップＳ１９）、ＰＣ３は送信されたクッキーを保存する。なお、既に同一の上述のクッキーがＰＣ３に保存されている場合は上述のクッキーの送信は行われない。
【００９６】
そして、ウェブサーバ４は、運営サーバ１００がＰＣ３内のウェブブラウザプログラムに保存させているクッキーを受信し、その一般ユーザがどのウェブページから移動してきたかを把握する。すなわち、運営サーバ１００はＰＣ３から「注文特定情報」を取得する（ステップＳ２０）。
【００９７】
さらにその後、一般ユーザが顧客として登録し、上記所定の期間（６０日）内に広告主が開設しているウェブページで商品を購入したりサービスを受けたりする（ステップＳ２１）。このとき、この顧客にポイントが付与されることは、一般の場合と同様である。
さらに、運営サーバ１００は、加盟者のウェブページを経由してきた一般ユーザが商品を購入したことを認識し、注文ＤＢ１３１に、この注文コードを主キーとするレコードを作成し格納する。
【００９８】
＜成約（広告料金発生）の承認（図１３：ステップＳ２２、Ｓ２３）＞
広告主が、図１５に示した「管理ページ」上の「加盟者経由の売り上げを承認します」と書かれた部分を選択すると、クライアント２０１から運営サーバ１００に、加盟者コードとパスワードと承認待ちとなっている売り上げを要求する旨の情報とが送信される。すると、運営サーバ１００は「成約承認処理」を開始し、送信された加盟者コードに対応する加盟者において、未決済の注文特定情報を注文ＤＢ１３１から抽出する。そして、抽出した注文特定情報から、「成約承認ページ」を作成し、要求元のクライアント２０１に送信する。
【００９９】
図２２に示すように、「成約承認ページ」には、未決済の注文が表示されている。広告主（店舗）は、未決済の注文に関して、広告料金を支払うか否かの判断を行い、判断結果（売り上げを承認する、否認する、判断を保留する、のいずれか１つ）を入力し、送信ボタンをクリックする。すると、クライアント２０１は、通信ネットワークを介して入力された内容（以下、「成約承認情報」と称する）を運営サーバ１００に送信する。
【０１００】
運営サーバ１００は、「成約承認情報」を受け取ると、「成約承認情報」に含まれている「売り上げを承認する」旨の情報に従って、さらに、運営サーバ１００は、「売り上げを承認する」旨の情報に従って、リンクを提供した提携オファーを、オファーＤＢ１２８から検索し、オファーＤＢ１２７に登録されている該当する成約数を１増加させて記憶し、さらに、その店舗のポイント付与ポリシーに従って、加盟者ＤＢ１２６の獲得ポイントの欄に格納されているポイントの対応するものに加算する。判断結果が他の場合は、成約数の変更は行われない。
加盟者は、顧客と同様に、蓄積したポイントを電子ショッピングモールの該当する店舗（店舗ポイントの場合）又は店舗群（共通ポイントの場合）で、商品やサービスを購入するための対価の一部として使用することができる。或いは、任意の景品などを効果することも可能である。ポイントを使用すると、その分、残高は減額される。
【０１０１】
なお、広告料金の徴収は、既存の任意の手法を利用する。
【０１０２】
以上説明したように、本発明の実施の形態にかかる電子ショッピングモールシステムによれば、顧客にポイントを与えると共に顧客を誘導した広告の掲載者（加盟者）にもポイントで成功報酬が支払われる。
【０１０３】
＜実施形態の変形例＞
なお、本発明は上記実施形態に限定されず、種々の変形および応用が可能である。
【０１０４】
例えば、電子ショッピングモールシステム１において、広告掲載中のオファーの報酬条件を途中で変更したり、広告掲載を取りやめたりすることができる。また、加盟者は複数のウェブサイトを開設したり、複数の提携オファーを同時に出したりできる。
【０１０５】
さらに、電子ショッピングモールシステム１では、１つの広告において、異なる報酬条件を設定することができる。この場合、広告主は加盟者に支払っている広告料金などを基準として、加盟者毎に異なる報酬条件を提示できるようにしてもよい。また、広告が表示可能な状態にあるときに、報酬条件を変更できるようにしてもよい。
【０１０６】
また、広告コンテンツはバナーに限らず、単なるテキストや、いわゆるフラッシュアニメーション等による広告でもよい。さらに、オンラインショップのページを表示する場合に、ウェブブラウザプログラムに新しいウィンドウを生成させ、そこに広告を表示させるようにしてもよい。また、広告コンテンツは運営サーバ１００に格納されている必要はなく、例えば、ウェブサーバ４に格納されていてもよい。
【０１０７】
さらに、広告主は広告コンテンツを複数用意し、加盟者がこれらの中から選択できるようにしてもよい。また、広告主が途中で広告コンテンツを変更できるようにしてもよい。
【０１０８】
また、加盟者が広告リンクを手作業でＨＴＭＬファイルに貼り付けるものとして説明を行った。しかし、運営サーバ１００が加盟者から指定された場所に広告リンクを挿入するように構成することができる。この場合、広告リンクが挿入できるように、ＨＴＭＬファイルは運営サーバ１００から読み書き可能な場所に格納される。また、加盟者から広告の挿入個所の指定を受け付ける手段を運営サーバ１００が有する。例えば、上記図２１に示した「広告ソース表示ページ」の代わりに、図２３に示す「広告ソース表示ページ」で挿入個所の指定を受け付ける。そして、運営サーバ１００は、掲載待ちの提携オファーで指定された広告を表示させるための広告データを作成し、ＨＴＭＬファイルを読み出し、送信された掲載位置を示す情報に従って広告データを挿入して、ＨＴＭＬファイルを更新する。
【０１０９】
また、広告スペースに表示する広告は固定でなくてもよい。この場合、その広告スペースに表示される広告は、事業体Ｘで予め定められたスケジュール、各加盟者のウェブページの表示頻度、リーチ率（インターネット全体の利用者に対する広告の閲覧者の割合のこと）、ＣＴＲ（Click Through RateもしくはRatio、広告の表示回数に対して広告リンクがクリックされた割合のこと）、成約率、等に従って切り換えられたりする。
【図面の簡単な説明】
【０１１０】
【図１】本発明の実施の形態にかかる電子ショッピングモールシステムの構成を示すブロック図である。
【図２】図１の運営サーバの構成を示すブロック図である。
【図３】図２の記憶部に格納されるデータを説明するための図である。
【図４】図３の商品情報ＤＢに蓄積されるデータを説明するための図である。
【図５】図３の店舗情報ＤＢに蓄積されるデータを説明するための図である。
【図６】図３の顧客情報ＤＢに蓄積されるデータを説明するための図である。
【図７】図３の加盟者ＤＢに蓄積されるデータを説明するための図である。
【図８】図３の広告主ＤＢに蓄積されるデータを説明するための図である。
【図９】図３のオファーＤＢに蓄積されるデータを説明するための図である。
【図１０】図３の広告ＤＢに蓄積されるデータを説明するための図である。
【図１１】図３の注文ＤＢに蓄積されるデータを説明するための図である。
【図１２】図１のクライアントの構成を示すブロック図である。
【図１３】広告関連の処理の流れを説明するための図である。
【図１４】広告管理用の「トップページ」画面の表示例を示す図である。
【図１５】広告主側のクライアントに表示される「広告主用管理ページ」の表示例を示す図である。
【図１６】広告主のクライアントに表示される「広告掲載条件設定ページ」の表示例を示す図である。
【図１７】加盟者のクライアントに表示される「加盟者管理ページ」の表示例を示す図である。
【図１８】加盟者のクライアントに表示される「申し込み可能広告一覧ページ」の表示例を示す図である。
【図１９】広告主のクライアントに表示される「未承認オファー一覧ページ」の表示例を示す図である。
【図２０】広告主のクライアントに表示される「オファー詳細ページ」の表示例を示す図である。
【図２１】加盟者のクライアントに表示される「広告ソース表示ページ」の表示例を示す図である。
【図２２】広告主のクライアントに表示される「成約承認ページ」の表示例を示す図である。
【図２３】変形例において、加盟者のクライアントに表示される「広告ソース表示ページ」の表示例を示す図である。
【符号の説明】
【０１１１】
１  電子ショッピングモールシステム
１００  運営サーバ
２００、２０１  クライアント
３  パーソナルコンピュータ
４  ウェブサーバ
Ｃ  通信ネットワーク
【図１】
0005196730.tif 000002
【図２】
0005196730.tif 000003
【図３】
0005196730.tif 000004
【図４】
0005196730.tif 000005
【図５】
0005196730.tif 000006
【図６】
0005196730.tif 000007
【図７】
0005196730.tif 000008
【図８】
0005196730.tif 000009
【図９】
0005196730.tif 000010
【図１０】
0005196730.tif 000011
【図１１】
0005196730.tif 000012
【図１２】
0005196730.tif 000013
【図１３】
0005196730.tif 000014
【図１４】
0005196730.tif 000015
【図１５】
0005196730.tif 000016
【図１６】
0005196730.tif 000017
【図１７】
0005196730.tif 000018
【図１８】
0005196730.tif 000019
【図１９】
0005196730.tif 000020
【図２０】
0005196730.tif 000021
【図２１】
0005196730.tif 000022
【図２２】
0005196730.tif 000023
【図２３】
0005196730.tif 000024